(57)【要約】  移動した地点での興味の対象の入力を受け付けるユーザ入力部２０と、位置情報を検出する位置検出部２１ａと、ユーザ入力部２０で入力された興味の対象及び当該興味の対象が入力された地点の位置情報を含む興味情報を生成するユーザ情報検出部２１と、サーバ装置３と通信可能に接続して、ユーザ情報検出部２１で生成された興味情報をサーバ装置３に保存し、サーバ装置３に保存された興味情報のうち、要求に応じて検索された興味情報を取得する通信部２３と、ユーザ情報検出部２１で生成された興味情報又は通信部２３で取得された興味情報を出力して、ユーザに提示する出力部２４とを備える。
2012098574.tif 000002
【特許請求の範囲】
【請求項１】
移動体に搭載又は携帯される情報処理装置であって、
前記移動体が移動した地点での興味の対象の入力を受け付けるユーザ入力部と、
前記移動体の位置情報を検出する位置検出部と、
前記ユーザ入力部で入力された前記興味の対象と前記位置検出部で検出された当該興味の対象が入力された地点の位置情報とを含む興味情報を生成する興味情報生成部と、
外部装置と通信可能に接続して、前記興味情報生成部で生成された興味情報を前記外部装置に保存し、前記外部装置に保存された興味情報のうち、要求に応じて検索された興味情報を取得する通信部と、
前記興味情報生成部で生成された興味情報又は前記通信部で取得された興味情報を出力して、ユーザに提示する出力部とを備えた情報処理装置。
【請求項２】
前記ユーザ入力部は、対象の情報ジャンル、対象が撮影された画像、及び対象の内容を示す音声情報のうちの少なくとも１つを、前記興味の対象として入力を受け付けることを特徴とする請求項１記載の情報処理装置。
【請求項３】
前記通信部は、前記外部装置に対して位置情報をキーとした興味情報の検索要求を行うことを特徴とする請求項１記載の情報処理装置。
【請求項４】
前記外部装置に保存された興味情報を編集する編集処理部を備えたことを特徴とする請求項１記載の情報処理装置。
【請求項５】
ユーザの状態を検出するユーザ状態検出部と、
前記興味情報生成部により生成された興味情報と、この情報に含まれる前記興味の対象が入力された時点で、前記ユーザ状態検出部に検出されたユーザの状態とを組み合わせたデータを記憶する記憶部と、
前記記憶部に記憶された前記データから前記興味の対象が入力される際のユーザ状態の傾向を学習し、前記学習したユーザ状態の傾向に基づいて、前記ユーザ状態検出部で検出されたユーザの状態から、興味の対象を推定する推定部とを備えたことを特徴とする請求項１記載の情報処理装置。
【請求項６】
情報検索サーバとこれに通信可能に接続された情報処理装置を備えた情報処理システムであって、
前記情報処理装置は、
移動体に搭載又は携帯され、前記移動体が移動した地点での興味の対象の入力を受け付けるユーザ入力部と、
前記移動体の位置情報を検出する位置検出部と、
前記ユーザ入力部で入力された前記興味の対象と前記位置検出部で検出された当該興味の対象が入力された地点の位置情報とを含む興味情報を生成する興味情報生成部と、
前記興味情報生成部で生成された興味情報を前記前記情報検索サーバに保存し、前記前記情報検索サーバに保存された興味情報のうち、要求に応じて検索された興味情報を取得する通信部と、
前記興味情報生成部で生成された興味情報又は前記通信部で取得された興味情報を出力して、ユーザに提示する出力部とを備えた情報処理システム。
【請求項７】
前記情報検索サーバに興味情報を保存した前記情報処理装置を管理するユーザと、当該興味情報を編集したユーザとが異なる場合に、当該興味情報を前記情報検索サーバに保存したユーザに対して編集があったことを通知するユーザ通知部を備えたことを特徴とする請求項６記載の情報処理システム。
【発明の詳細な説明】
【技術分野】
【０００１】
この発明は、移動中に通りがかった地点に関する情報を登録したり、提供することができる情報処理システム及びこれに用いる情報処理装置に関する。
【背景技術】
【０００２】
ユーザの明示的な操作に応じて情報を登録する従来の技術として、例えば、特許文献１に開示されるシステムがある。このシステムでは、ユーザがリモコンを操作すると、このリモコンに設けた環境変化検出手段が、これをリモコン周辺の環境変化として検出する。環境変化検出手段によってリモコン周辺の環境変化が検出されると、これを契機として、撮像装置が撮像を開始し、撮像画像が記録装置に記録される。これにより、ユーザによる明示的な操作に応じて、ユーザがリモコンの周辺で起こした行動をライフログとして記録することができる。
【先行技術文献】
【特許文献】
【０００３】
【特許文献１】特開２００８−１６０６１２号公報
【発明の概要】
【発明が解決しようとする課題】
【０００４】
従来のカーナビゲーションシステムには、ある地点を予め登録しておくことで、後からその地点を目的地又は経由地に設定することができるものがある。ただし、施設情報等のような地点に関する情報（ＰＯＩ（Point Of Interest）情報）は、システムの出荷時に予め設定された情報のみである。従って、車両での走行中にある地点でユーザが何らかの対象に興味を持ったとしても、この地点に関する情報が予め設定された情報になければ、何の情報も得ることができない。【０００５】
また、近年では通信ネットワークを介した情報検索が普及しているが、検索キーによっては、膨大な量の情報が検索対象となる。例えば、車両での移動中に景色が良い場所に通り掛かり、この場所に関するＰＯＩ情報を利用したい場合に、この場所の名称を検索キーとすると、その名称を含む全ての情報が検索対象となるので、この場所に無関係な情報であっても大量に抽出される。特に、ユーザが移動中に行った検索で大量の情報が抽出されると、これらの情報から直ちに所望の地点に関する情報を得るのは非常に困難である。【０００６】
そこで、ユーザの行動を随時記録したライフログから、移動中にユーザが通った地点に関する情報を検索すれば、この地点に無関係な情報を除外できるが、ライフログを随時記録するには大容量の記憶装置が必要である。また、随時記録されてライフログが膨大な量になると、所望の地点に関する情報を見つけるまでに必要な検索時間がかかり、移動中に行う検索としては現実的でない。
この場合、特許文献１に代表される従来の技術のように、ユーザによる何らかの明示的な操作を契機にライフログを記録すれば、ライフログの肥大化は抑えられる。
しかしながら、特許文献１は、情報の記録を開始するための契機として、リモコン操作やその周囲環境の変化を用いただけであるので、ユーザが移動中に通り掛かった地点で興味を持った対象を的確に保存することができない。【０００７】
この発明は、上記のような課題を解決するためになされたもので、ユーザが移動中に通り掛かった地点で興味を持った対象を的確に保存し、この地点の情報を適宜利用することができる情報処理システム及びこれに用いる情報処理装置を得ることを目的とする。
【課題を解決するための手段】
【０００８】
この発明に係る情報処理装置は、移動体に搭載又は携帯される情報処理装置であって、移動体が移動した地点での興味の対象の入力を受け付けるユーザ入力部と、移動体の位置情報を検出する位置検出部と、ユーザ入力部で入力された興味の対象と位置検出部で検出された当該興味の対象が入力された地点の位置情報とを含む興味情報を生成する興味情報生成部と、外部装置と通信可能に接続して、興味情報生成部で生成された興味情報を外部装置に保存し、外部装置に保存された興味情報のうち、要求に応じて検索された興味情報を取得する通信部と、興味情報生成部で生成された興味情報又は通信部で取得された興味情報を出力して、ユーザに提示する出力部とを備える。
【発明の効果】
【０００９】
この発明によれば、ユーザが移動中に通り掛かった地点で興味を持った対象を的確に保存し、この地点の情報を適宜利用することができるという効果がある。
【図面の簡単な説明】
【００１０】
【図１】この発明の実施の形態１による情報処理システムの構成を示すブロック図である。
【図２】実施の形態１の情報処理システムによる処理の流れを示すフローチャートである。
【図３】興味対象入力用画面の一例を示す図である。
【図４】この発明の実施の形態２による情報処理システムの構成を示すブロック図である。
【図５】実施の形態２の情報処理システムによる編集処理の流れを示すフローチャートである。
【図６】この発明の実施の形態３によるユーザ端末装置の構成を示すブロック図である。
【図７】実施の形態３のユーザ端末装置による処理の流れを示すフローチャートである。
【発明を実施するための形態】
【００１１】
以下、この発明をより詳細に説明するため、この発明を実施するための形態について、添付の図面に従って説明する。
実施の形態１．
図１は、この発明の実施の形態１による情報処理システムの構成を示すブロック図である。図１において、実施の形態１の情報処理システム１は、ユーザＡによって管理されるユーザ端末装置２及びサーバ装置３を備える。
ユーザ端末装置２は、車両等の移動体に搭載された車載機器又はユーザＡに携帯される機器として構成される情報処理装置であり、車両等での移動又は歩行の間に通り掛かった地点でユーザＡが興味を持った対象を含む情報を、通信ネットワーク４を経由してサーバ装置３に保存したり、サーバ装置３に保存されている情報から所望の情報を閲覧することができる。その構成としては、ユーザ入力部２０、ユーザ情報検出部２１、位置検出部２１ａ、計時部２１ｂ、装置側興味情報記憶部２２、通信部２３及び出力部２４を備える。
【００１２】
ユーザ入力部２０は、ユーザ端末装置２へ情報を入力する構成部であり、特に、サーバ装置３に保存する情報を入力したり、ユーザが興味を持った地点に関する情報を検索するためのキー情報を入力する場合に利用される。これらの入力処理は、車両等での移動又は歩行によってユーザＡが移動している間に実施される場合が多いので、ユーザ入力部２０を用いた簡単な入力操作に関連付けられる。
つまり、本発明のユーザ端末装置２は、ユーザＡが移動中に通り掛かった地点で興味を持った対象（以下、興味対象と呼ぶ）を入力するための興味対象入力用のヒューマンマシンインタフェース（ＨＭＩ）を提供する。
例えば、ユーザ入力部２０が出力部２４の表示画面を用いたタッチパネルである場合、タッチ操作で興味対象を入力するＨＭＩとして、この表示画面上に興味対象入力用画面を表示する。興味対象入力用画面には、情報ジャンル毎のソフトウェアボタンが設けられており、ユーザＡが、興味を持った対象に対応する情報ジャンルのボタンを押下することにより、この情報ジャンルの内容が興味対象として入力される。
【００１３】
また、ユーザ入力部２０が音声認識システムである場合は、音声入力操作によって興味対象を入力する興味対象入力用のＨＭＩを提供することができる。このＨＭＩでは、ユーザＡが興味を持った対象を発声することにより、この発声を音声認識した結果が興味対象として入力される。なお、興味対象入力用のＨＭＩを、ユーザＡの発声を単に録音する構成として、興味対象を録音データで入力するようにしてもよい。
【００１４】
さらに、ユーザ入力部２０が画像認識システムである場合は、撮像操作によって興味対象を入力する興味対象入力用のＨＭＩを提供することができる。このＨＭＩでは、ユーザＡが興味を持った対象をジェスチャで表現したり又はその対象物を見ることにより、これをカメラ等の撮像装置で撮像した動画像を画像認識又は視線認識した結果が、興味対象として入力される。なお、単に撮像画像データを興味対象として入力するようにしてもかまわない。
【００１５】
ユーザ情報検出部２１は、ユーザ入力部２０を用いてユーザ端末装置２内に入力された情報の中から、ユーザＡによって入力された興味対象を検出する構成部である。例えば、上述の興味対象入力用のＨＭＩで入力された情報を興味対象として検出する。すなわち、興味対象入力用のＨＭＩで興味対象に特定の拡張子を設定する等して、他の情報から識別する。
また、ユーザ情報検出部２１は、位置検出部２１ａで検出された位置情報及び計時部２１ｂで計時された時刻情報を逐次入力して、ユーザＡによって興味対象が入力された地点の位置情報、興味対象が入力された時刻、予め設定されたユーザ情報から抽出されたユーザ名や車種等を興味対象に付加した興味情報を生成する興味情報生成部として機能する。
なお、上記興味情報は、興味対象が入力された地点に関するＰＯＩ情報として扱われるため、興味対象に対する付加情報には、少なくとも興味対象が入力された地点の位置情報が含まれる。
【００１６】
興味対象には、上述したようにユーザが興味を持った対象物の撮像画像や対象物を見るユーザの視点位置やその滞留時間、音声情報が含まれる。
また、興味対象入力用ＨＭＩによっては、画一的な情報ジャンルが興味対象として入力される。例えば、“新しい中華料理店”という情報ジャンルは、複数のユーザの間で共通に扱われる。このように複数のユーザの間で共通に扱われる興味対象は、この興味対象に関する興味情報を検索するキー情報として利用でき、またその興味情報の分類や利用頻度のような統計処理を施す場合に有効である。
一方、複数のユーザの間で共通に扱われない情報、例えばユーザが独自に発した内容の音声ファイル等で興味対象を表す場合、ユーザの個性を反映させた興味情報を生成する際に有効である。
【００１７】
また、興味情報は、興味対象と対応する地点の位置情報とを含む情報（属性）の列から構成される。例えば、＜時刻，緯度，経度，興味対象＞のように構成され、“時刻”は、興味対象が入力された時刻であり、“緯度，経度”は、興味対象が入力された地点の位置情報である。なお、興味情報は、＜時刻，＜緯度，経度＞，興味対象＞というように情報の一部を入れ子に構成してもよい。
【００１８】
一方、ユーザＡが興味を持った地点に関する興味情報を検索するためのキー情報を入力する場合は、興味対象の入力よりも単純なＨＭＩでよい。
例えば、ユーザ入力部２０が出力部２４の表示画面を利用したタッチパネルである場合に、タッチ操作でキー情報を入力するＨＭＩとして、地点入力用のソフトウェアボタンを表示画面に表示する。ユーザＡが、例えば景色が良い地点に通りがかり、この地点に興味を持った場合、この地点入力用ボタンを押下するだけで、図２にて後述するようにして、この地点に関する興味情報（ＰＯＩ情報）がサーバ装置３からフィードバックされる。
【００１９】
位置検出部２１ａは、ユーザ端末装置２の位置を検出する構成部であり、例えばＧＰＳ（Global Positioning System）受信機、車速センサ、加速度センサ、角速度センサ等で現在位置情報を検出する。計時部２１ｂは、ユーザ端末装置２として機能するコンピュータに内蔵された内蔵時計である。
装置側興味情報記憶部２２は、ユーザ端末装置２で興味情報を保存しておくための記憶部であり、ユーザ情報検出部２１で生成された興味情報や、通信部２３によってサーバ装置３から取得された興味情報が記憶される。
【００２０】
通信部２３は、インターネット等の通信ネットワーク４を介してサーバ装置３の通信部３０と通信可能に接続してデータ通信を行う構成部である。
出力部２４は、ユーザＡに興味情報を出力して提示する構成部であり、少なくとも表示モニタに興味情報を表示する表示出力部、及びスピーカ等で興味情報を音出力する音出力部として機能する。
【００２１】
なお、ユーザ入力部２０、ユーザ情報検出部２１、位置検出部２１ａ、計時部２１ｂ、通信部２３及び出力部２４は、例えば、この発明の趣旨に従う情報処理用プログラムを、ユーザ端末装置２として機能するコンピュータに実行させることにより、ハードウェアとソフトウェアが協働した具体的な手段として実現される。
また、装置側興味情報記憶部２２は、例えば、上述のコンピュータに搭載された記憶装置の記憶領域上に構築される。記憶装置としては、ハードディスク装置、半導体メモリ、ＣＤやＤＶＤ等の記憶メディアのドライブ装置等が挙げられる。
【００２２】
サーバ装置３は、興味情報をユーザ毎に管理するとともに、ユーザから要求された興味情報を検索して返信する情報検索サーバであり、通信ネットワーク４を介してユーザ端末装置２と通信可能に接続される。その構成として、通信部３０、ユーザ認証部３１、ユーザ情報検索部３２及びサーバ側興味情報記憶部３３を備える。
【００２３】
通信部３０は、通信ネットワーク４を介してユーザ端末装置２の通信部２３と通信可能に接続してデータ通信を行う構成部である。
ユーザ認証部３１は、興味情報の保存及び閲覧（編集）を希望するユーザの認証処理を行う構成部である。例えば、ユーザ認証部３１が、この情報処理システム１によって提供されるサービスに登録したユーザに付与されたユーザＩＤを管理しており、ユーザ端末装置２からの各種要求に含まれるユーザＩＤを照合してユーザ認証を行う。
【００２４】
ユーザ情報検索部３２は、ユーザ端末装置２から要求された興味情報を、サーバ側興味情報記憶部３３から検索する構成部であり、例えば興味情報に含まれる興味対象及び付加情報をキーとして検索を行う。また、検索結果に基づいた演算、例えば同一情報（属性）が利用される頻度やこの頻度の一定時間内の変化を演算する検索機能を持たせてもよい。
なお、地点の位置情報（緯度、経度）をキーとして興味情報の検索が要求された場合、ユーザ情報検索部３２は、検索キーの地点を含む所定の範囲のエリア内に含まれる地点に関する興味情報を検索する。例えば、その地点を中心とした半径が所定の距離の円エリア内における地点の興味情報を検索対象とする。
上記所定の範囲は、ユーザが検索キーの地点と同様の興味を持つと予想される距離範囲であればよく、検索キーの地点の位置との距離差が３０ｍ程度のエリアが考えられる。
さらに、時刻がキーに含まれる興味情報の検索が要求された場合は、この時刻から所定の時間範囲で前後した時刻に対応する興味情報についても検索を行う。上記の所定の時間範囲についても、ユーザが検索キーの時刻と同様の興味を持つと予想される時間範囲であればよく、検索キーの時刻との時間差が３０分程度の時間範囲が考えられる。
【００２５】
サーバ側興味情報記憶部３３は、ユーザ端末装置２から送信された興味情報を保存するための記憶部であり、興味情報がその生成元のユーザのユーザＩＤに対応付けて記憶される。なお、サーバ側興味情報記憶部３３に保存される興味情報は、装置側興味情報記憶部２２の場合と同様に、興味対象と対応する地点の位置情報とを含む情報（属性）の列から構成される。
【００２６】
なお、通信部３０、ユーザ認証部３１及びユーザ情報検索部３２は、例えば、この発明の趣旨に従う情報処理用プログラムを、サーバ装置３として機能するコンピュータに実行させることにより、ハードウェアとソフトウェアが協働した具体的な手段として実現される。また、サーバ側興味情報記憶部３３は、例えば上述のコンピュータに搭載された記憶装置の記憶領域上に構築される。
【００２７】
次に動作について説明する。
図２は、実施の形態１の情報処理システムによる処理の流れを示すフローチャートであり、ユーザ端末装置２が車載機器として構成された場合について説明する。
なお、実施の形態１の情報処理システム１による処理は、ユーザが行う明示的な操作によって興味対象を入力し、この興味対象を含む興味情報を生成してサーバ装置３に保存する処理と、ユーザが移動中に通り掛かった地点に関する興味情報を閲覧（利用）する処理に分けられる。
【００２８】
（１）興味情報の生成・保存
ユーザＡが移動中に通り掛かった地点で興味を持った対象（興味対象）を、ユーザ入力部２０を用いて入力する（ステップＳＴ１）。
図３は、興味対象入力用画面の一例を示す図であり、ユーザ入力部２０が出力部２４の表示画面を利用したタッチパネルである場合を示している。図３では、地図表示欄４０の他に、興味対象入力用のソフトウェアボタン４１ａ〜４１ｄが設けられている。
【００２９】
ソフトウェアボタン４１ａ〜４１ｄには、各種の情報ジャンルが記載されている。
例えば、頻繁に渋滞する地点に通り掛かった際に、渋滞ポイントボタン４１ａを押下することで、“渋滞ポイント”という情報ジャンルが興味対象としてユーザ情報検出部２１へ出力される。また、ユーザが知らなかった新しいお店に通り掛かった場合には、気になるお店ボタン４１ｂを押下することで、“気になるお店”という情報ジャンルが興味対象としてユーザ情報検出部２１へ出力される。同様に、工事中の地点に通り掛かった場合、工事ポイントボタン４１ｃを押下することにより、“工事ポイント”という情報ジャンルが興味対象としてユーザ情報検出部２１へ出力される。さらに、頻繁に事故が発生する地点に通り掛かった際は、危険ポイントボタン４１ｄを押下することで、“危険ポイント”という情報ジャンルが興味対象としてユーザ情報検出部２１へ出力される。
【００３０】
なお、図３に示したソフトウェアボタンの情報ジャンルは一例であり、情報ジャンルをさらに大分類したものを利用してもよく、大分類から詳細な情報ジャンルへ階層的に設定できるようにしてもよい。
また、上記の説明では、興味対象入力用のソフトウェアボタン４１ａ〜４１ｄを、出力部２４の表示画面２４Ａに表示する場合を示したが、ハンドルに備え付けた専用ボタンとして設けてもかまわない。
【００３１】
複数の入力装置を組み合わせて興味対象を入力するようにしてもよい。
例えば、興味対象入力用画面と音声認識システムを組み合わせて、ソフトウェアボタン４１ａ〜４１ｄのいずれかを押下した際に、その興味対象の詳細な内容を発声することにより、その音声認識結果を付加情報とする。また、ソフトウェアボタン４１ａ〜４１ｄのいずれかを押下した時点で、車外を撮像した画像やユーザのジェスチャを撮影した映像を付加情報としてもかまわない。
【００３２】
複数の入力装置を組み合わせて興味情報を入力するにあたり、車両の走行状況に応じて利用できる入力装置を制限してもよい。例えば、タッチパネルで操作するソフトウェアボタン４１ａ〜４１ｄと、ハンドルに備え付けた専用ボタンとを備えている場合に、車両の走行中にはタッチ操作を無効とし、ハンドルに備え付けた専用ボタンのみを有効にする。
【００３３】
ユーザ情報検出部２１は、ユーザ入力部２０を用いてユーザ端末装置２内に入力された情報のうち、興味対象入力用ＨＭＩで入力された情報を興味対象として検出し、少なくとも、この興味対象が入力された地点の位置情報を付加して興味情報を生成する（ステップＳＴ２）。例えば、興味情報は、上述したように＜緯度，経度，・・・：興味対象＞という情報（属性）の列から構成される。
なお、興味情報は、興味対象を示すデータのファイル名を利用して、興味対象を示すデータに相当する外部の情報を参照するように構成してもよい。
例えば、画像データや音声データで表される興味対象を含む場合、データのファイル名を設定する。つまり、興味対象が音声データであり、これが興味情報とは別個な記憶領域に保存されている場合、音声データのファイル名が＜緯度，経度，・・・：ファイル名＞のように設定された興味情報が生成される。
また、興味情報は、複数の興味対象を含んでいてもよい。例えば、興味対象を示すデータのファイル名を利用する場合には、興味情報を、音声データ自体と、そのファイル名を興味対象として構成してもよい。
【００３４】
次に、ユーザ情報検出部２１は、生成した興味情報を装置側興味情報記憶部２２に保存する（ステップＳＴ３）。
装置側興味情報記憶部２２に興味情報が保存されると、通信部２３は、通信ネットワーク４を介してサーバ装置３と通信可能に接続して、ユーザＡのユーザＩＤを含む保存要求を送信する。なお、通信部２３が、装置側興味情報記憶部２２に保存しない場合、ユーザ情報検出部２１によって興味情報が生成された時点で保存要求を送信してもよい。
サーバ装置３のユーザ認証部３１は、通信部３０によってユーザ端末装置２からの保存要求を受信すると、この要求に含まれるユーザＩＤを基に、要求元のユーザＡを認証する（ステップＳＴ４）。
【００３５】
ユーザ端末装置２の通信部２３は、サーバ装置３から認証されると、ステップＳＴ２で生成された興味情報を、通信ネットワーク４を介してサーバ装置３へ送信する。
サーバ装置３のユーザ認証部３１は、通信部３０によりユーザ端末装置２から受信した興味情報を、ユーザＡのユーザＩＤに対応付けてサーバ側興味情報記憶部３３に保存する（ステップＳＴ５）。ここまでが、興味情報の生成・保存処理に相当する。
【００３６】
（２）興味情報の閲覧（利用）
ユーザＡが、車両での移動中に通り掛かった地点に関する興味情報を閲覧したい場合、ユーザ入力部２０を用いて、この興味情報の検索キーとなる情報を入力する。
例えば、ユーザ入力部２０が出力部２４の表示画面を利用したタッチパネルである場合に、地点入力用のソフトウェアボタンを表示画面上に表示する。ユーザＡが、例えば景色の良い場所に通り掛かり、この地点に関する興味情報を閲覧したい場合には、地点入力用ボタンを押下する。これにより、ユーザ入力部２０が、地点入力用ボタンが押下された旨をユーザ情報検出部２１へ通知する。
【００３７】
ユーザ情報検出部２１は、地点入力用ボタンが押下された旨、すなわちユーザＡが興味を持った地点であることを示す情報が入力された旨が通知されると、その時点の位置情報を位置検出部２１ａから取得して、この位置情報及びユーザＩＤを含む検索要求を通信部２３へ出力する。通信部２３は、ユーザ情報検出部２１から入力した上記検索要求を、通信ネットワーク４を介してサーバ装置３へ送信する。
【００３８】
サーバ装置３のユーザ認証部３１は、通信部３０によってユーザ端末装置２からの検索要求が受信されると、この検索要求に含まれるユーザＩＤを基に、検索要求元のユーザＡを認証する。なお、ステップＳＴ５からの一連の処理としてサーバ側興味情報記憶部３３に保存した興味情報と同一の地点に関する他の興味情報を検索する場合は、ステップＳＴ４で既にユーザ認証が済んでいるので、上記認証処理は省略される。
【００３９】
次いで、ユーザ情報検索部３２は、上記検索要求から抽出した位置情報をキーとして、サーバ側興味情報記憶部３３を検索する（ステップＳＴ６）。ここでは、上述したように検索キーとした位置情報の地点を含む所定の範囲のエリア内に含まれる地点の興味情報についても、検索要求された興味情報とみなして検索される。
ステップＳＴ５で保存した興味情報と同一の地点に関する興味情報を検索する場合においても、位置情報に同一とみなす上記所定の範囲を設定し、この範囲のエリア内に含まれる地点の興味情報を検索する。
サーバ側興味情報記憶部３３に検索要求された興味情報がある場合（ステップＳＴ６；ＹＥＳ）、ユーザ情報検索部３２は、サーバ側興味情報記憶部３３から当該興味情報を読み出し、通信部３０によって要求元のユーザ端末装置２へ送信する（ステップＳＴ７）。
また、ステップＳＴ７において、ユーザ情報検索部３２が、サーバ側興味情報記憶部３３に保存される興味情報について検索要求された頻度又はこの頻度の一定期間における変化を記録しておき、これらの情報を検索結果の興味情報に付加して、検索要求元のユーザ端末装置２へ送信するようにしてもよい。この場合、検索要求元のユーザ端末装置２へ送信される興味情報は、例えば＜緯度，経度，頻度，付加情報１，付加情報２，・・・：興味対象＞のような構成となる。このようにすることにより、興味情報が検索要求された頻度、すなわちその地点が興味を持たれた度合いを把握することができる。
【００４０】
ユーザ端末装置２の通信部２３は、ユーザＡから“保存”が設定されていれば（ステップＳＴ８；ＹＥＳ）、サーバ装置３から受信した検索結果の興味情報を、装置側興味情報記憶部２２に保存する（ステップＳＴ９）。
一方、ユーザＡから“保存”が設定されていない（ステップＳＴ８；ＮＯ）、もしくはステップＳＴ９にて検索結果の興味情報を装置側興味情報記憶部２２に保存すると、通信部２３は、検索結果の興味情報を出力部２４へ渡す。出力部２４は、入力した検索結果の興味情報をユーザＡへ提示する（ステップＳＴ１０）。
また、ステップＳＴ５からの一連の処理としてサーバ側興味情報記憶部３３に保存した興味情報と同一の地点に関する他の興味情報を検索した場合には、ステップＳＴ５で保存した興味情報以外に同一の地点に関して保存されていた興味情報が提示される。
このように、移動中に通り掛かった景色の良い場所で、ユーザＡが、ユーザ入力部２０を用いて興味を持った地点であることを示す明示的な入力操作を施すことにより、サーバ装置３から、この地点に関する興味情報（ＰＯＩ情報）がフィードバックされる。
【００４１】
検索要求された興味情報がない場合（ステップＳＴ６；ＮＯ）、サーバ装置３の通信部３０は、興味情報がないことを示す情報を要求元のユーザ端末装置２へ送信する。
ユーザ端末装置２の通信部２３は、上記情報をサーバ装置３から受信すると、検索要求した興味情報がない旨を出力部２４に通知する。この通知を受けると、出力部２４は、検索要求した興味情報がない旨をユーザＡへ提示する（ステップＳＴ１１）。
【００４２】
なお、興味情報の提示方法は、自車両の走行状態に応じて下記のようにしてもよい。
（Ａ）自車両が停止した時点で、それまでに生成した興味情報（例えば、装置側興味情報記憶部２２に保存した興味情報）を提示する。
（Ｂ）自車両が走行中である場合には、興味情報を表示せず、音声のみで提示する。
（Ｃ）自車両が以前に興味対象を入力した地点に到達すると、その地点に関する興味情報を提示する。この場合、装置側興味情報記憶部２２に保存した過去の興味情報であってもよく、サーバ装置３へ検索要求を行い、当該地点に関して新たに保存されていた興味情報を提示してもよい。
【００４３】
以上のように、この実施の形態１によれば、移動した地点での興味の対象の入力を受け付けるユーザ入力部２０と、位置情報を検出する位置検出部２１ａと、ユーザ入力部２０で入力された興味の対象と位置検出部２１ａで検出された当該興味の対象が入力された地点の位置情報とを含む興味情報を生成するユーザ情報検出部２１と、サーバ装置３と通信可能に接続して、ユーザ情報検出部２１で生成された興味情報をサーバ装置３に保存し、サーバ装置３に保存された興味情報のうち、要求に応じて検索された興味情報を取得する通信部２３と、ユーザ情報検出部２１で生成された興味情報又は通信部２３で取得された興味情報を出力して、ユーザに提示する出力部２４とを備える。このように構成することにより、ユーザが移動中に通り掛かった地点で興味を持った対象を的確に保存し、この地点の情報を適宜利用することができる。
【００４４】
上記実施の形態１では、ユーザ端末装置２とサーバ装置３が、インターネット等の通信ネットワーク４を介して情報をやり取りする場合を示したが、本発明は、これに限定されるものではない。例えば、サーバ装置３が、路側無線通信装置を介して車両に搭載されたユーザ端末装置２との間で情報をやり取りしてもよい。
また、ユーザ端末装置２を搭載する複数の車両がある場合に、通信部２３に車車間通信機能を持たせることで、サーバ装置３との間だけでなく、車車間通信範囲に存在する他の車両のユーザ端末装置２との間で情報をやり取りしてもよい。
【００４５】
実施の形態２．
図４は、この発明の実施の形態２による情報処理システムの構成を示すブロック図であり、図１と同一構成部には同一符号を付して説明を省略する。図４に示す例では、実施の形態２の情報処理システム１Ａにおいて、サーバ装置３ＡがユーザＡに管理されたユーザ端末装置２Ａ及びユーザＢに管理されたユーザ端末装置２Ｂからそれぞれ通信可能に接続される場合を示している。なお、サーバ装置３Ａに保存される興味情報は、ユーザ端末装置２Ａ，２Ｂの双方から閲覧可能である。
【００４６】
ユーザ端末装置２Ａは、上記実施の形態１で示した構成に加え、編集処理部２５を備える。編集処理部２５は、ユーザ入力部２０を用いて入力された情報に基づいて、興味対象及びその付加情報を含む興味情報を編集する構成部である。
以降では、ユーザＡが管理するユーザ端末装置２Ａを用いて、ユーザＢによってサーバ装置３Ａに保存された興味情報を編集する場合について述べる。従って、ユーザ端末装置２Ｂについては、ユーザ端末装置２Ａと同様に編集処理部２５を有する構成であっても、上記実施の形態１と同様の構成であってもよい。
【００４７】
また、サーバ装置３Ａは、上記実施の形態１で示した構成に加えて、ユーザ通知部３４を備える。ユーザ通知部３４は、通信部３０を用いてユーザ端末装置２Ａ，２Ｂに対して通知処理を実行する構成部であり、特に、興味情報を編集したユーザが、これを生成してサーバ側興味情報記憶部３３に保存したユーザと異なる場合、編集された興味情報を生成し保存したユーザに対して当該興味情報が編集されたことを示す編集通知を行う。
【００４８】
次に動作について説明する。
図５は、実施の形態２の情報処理システムによる編集処理の流れを示すフローチャートであり、この図５に沿って処理の詳細を述べる。
ユーザＡが、ユーザ入力部２０を用いてサーバ装置３Ａへのログインを指示する。通信部２３は、ユーザ入力部２０を用いてログインが指示されると、ユーザＡのユーザＩＤを含むログイン要求を、通信ネットワーク４を介してサーバ装置３Ａへ送信する。
サーバ装置３Ａのユーザ認証部３１は、通信部３０によってユーザ端末装置２Ａからのログイン要求を受信すると、このログイン要求に含まれるユーザＩＤを基に、要求元のユーザＡを認証する（ステップＳＴ１ａ）。
【００４９】
ユーザＡは、ユーザ認証部３１に認証されると、ユーザ入力部２０を用いて編集処理部２５を起動する。編集処理部２５は、ユーザ入力部２０及び出力部２４を用いて、情報編集用のＨＭＩを提供する。例えば、ユーザ入力部２０が出力部２４の表示画面を利用したタッチパネルである場合に、この表示画面上に情報編集用画面を表示する。
ユーザＡは、情報編集用画面へのタッチ操作で、サーバ装置３Ａに保存されている興味情報から、編集対象の興味情報を検索するよう指示する。
例えば、興味情報を構成する情報である、興味対象、この興味対象が入力された時刻、この興味対象を入力したユーザ名、この興味対象が入力された地点の位置等が検索キーとされる。この検索キーを含む検索要求は、通信部２３によってサーバ装置３Ａへ送信される。
【００５０】
サーバ装置３Ａのユーザ情報検索部３２は、通信部３０により受信された上記検索要求に含まれる検索キーに基づいて、サーバ側興味情報記憶部３３を検索する（ステップＳＴ２ａ）。なお、興味情報は、＜緯度，経度，頻度，付加情報１，付加情報２，・・・：興味対象＞のように情報（属性）の列からなるので、ＲＤＢ（リレーショナルデータベース）形式のデータとして扱える。そこで、ＳＱＬ（Structured Query Language）文などで検索を行うようにユーザ情報検索部３２を構成してもかまわない。ユーザ情報検索部３２による検索結果の情報は、通信部３０によってユーザ端末装置２Ａへ送信される。
【００５１】
ユーザ端末装置２Ａの通信部２３は、サーバ装置３Ａから受信した検索結果の興味情報を、上記情報編集用画面に表示する。
次いで、編集処理部２５が、ユーザ入力部２０にて入力された編集用の情報を用いて、上記検索結果の興味情報をデータ編集する（ステップＳＴ３ａ）。
例えば、入力された編集用の情報を興味情報に追加する編集を行う場合には、上記検索結果の興味情報が、＜ユーザ名，情報１，情報２，・・・，情報Ｎ：興味対象＞のように構成されているので、この列に続く形で情報を追加する。すなわち、編集後の興味情報のデータは、＜ユーザ名，情報１，情報２，・・・，情報Ｎ，情報Ｎ＋１：興味対象＞のような構成になる。
また、興味情報のデータ構成に興味情報毎に付与したｉｄを設定することで、このｉｄを参照（ｒｅｆ）としてデータ編集することが可能である。例えば、ｉｄを付与した興味情報は、＜ｉｄ，ユーザ名，情報１，情報２，・・・，情報Ｎ：興味対象＞のように構成され、これに追加するデータを＜ｉｄ，ユーザ名，ｒｅｆ，情報Ｎ＋１，・・・：興味対象＞のように構成すれば、ｉｄを参照して情報Ｎ＋１以降の情報が追加される。
このようにして編集された興味情報は、通信部２３によってサーバ装置３Ａへ送信される。
【００５２】
サーバ装置３Ａのユーザ情報検索部３２は、通信部３０により受信された編集後の興味情報を、ユーザＩＤ（ユーザＢ）に対応付けてサーバ側興味情報記憶部３３に保存する。
次いで、ユーザ通知部３４が、ユーザ端末装置２Ａからのログイン要求の際に得られたユーザＩＤと上記編集後の興味情報に対応付けられたユーザＩＤとを比較して、編集通知が必要であるか否かを判定する（ステップＳＴ４ａ）。ここで、双方のユーザＩＤが同一であり、ユーザＡが自身の興味情報を編集したと判断される場合には、編集通知が不要と判定され（ステップＳＴ４ａ；ＮＯ）、処理を終了する。
【００５３】
一方、双方のユーザＩＤが異なり、当該興味情報を最初に保存したユーザ以外のユーザによって編集されたと判断される場合、編集通知が必要であると判定され（ステップＳＴ４ａ；ＹＥＳ）、ユーザ通知部３４は、編集後の興味情報に対応付けられたユーザＩＤを基に、このユーザＩＤに対応するユーザ端末装置を特定する。ここでは、ユーザＡが、ユーザＢの興味情報を編集したので、編集後の興味情報に対応付けられたユーザＩＤから、ユーザ端末装置２Ｂが特定される。
この後、ユーザ通知部３４は、通信部３０を介して、ユーザ端末装置２Ｂへ編集通知を行う（ステップＳＴ５ａ）。なお、この編集通知は、例えば、電子メール、インスタントメッセンジャー、ＳＮＳ（Social Network Service）等によって実現可能である。
また、編集通知の内容は、興味情報が編集されたことのみでもよいが、編集したユーザ名、編集内容のダイジェスト等を通知してもかまわない。
さらに、編集前後の興味情報で新たな情報が追加されている場合に、ユーザ通知部３４が編集通知を行うようにしてもよい。
【００５４】
ここで、ユーザＢが移動中に通り掛かった地点に新しいお店があり、興味対象入力用のＨＭＩを介した入力操作によって、この地点の位置及び情報ジャンル（新しいお店）が、ユーザ端末装置２Ｂに入力され、興味情報としてサーバ装置３Ａに保存された場合を仮定して、システム利用の具体例を説明する。
上記興味情報は、ユーザＢによって、ユーザ端末装置２Ｂの編集処理部２５を用いて、上記と同様にして編集することができる。例えば、ユーザＢが、後日に、付加情報として“このお店の評判は？”というコメント情報を追加する編集を行ったものとする。
サーバ装置３Ａに保存される興味情報は、登録ユーザであれば閲覧が可能であるので、“このお店の評判は？”というコメントは、登録ユーザの間で見ることができる。
ここで、登録ユーザであるユーザＡが上記お店に実際に行っており、上記コメントに応じてお店の感想を述べる場合、ユーザ端末装置２Ａの編集処理部２５を用いて、ユーザＢの上記興味情報に対してコメント情報等を追加する編集を行う。
例えば、“あまり美味しくありませんでした”というコメントが追加されると、サーバ装置３Ａのユーザ通知部３４が、ユーザＢに対して編集通知を行う。
ユーザＢは、編集通知に応じて、ユーザ端末装置２Ｂで自身の興味情報を閲覧すると、新しいお店に関する評判として、“あまり美味しくありませんでした”というユーザＡのコメントを見ることができる。
【００５５】
以上のように、この実施の形態２によれば、サーバ装置３Ａに保存された興味情報を編集する編集処理部２５を備えたので、ユーザが移動中に通り掛かった地点での興味対象とその地点の位置情報のみを興味情報としてサーバ装置３Ａに保存した場合であっても、後日に興味情報を編集することができ、有用な興味情報を複数のユーザ間で共有することが可能である。
【００５６】
なお、上記実施の形態２では、編集処理部をユーザ端末装置に設けた場合を示したが、サーバ装置側に設けてもよい。この場合、サーバ装置の編集処理部が、通信ネットワーク４を介して通信部３０でユーザ端末装置からの編集要求及び編集用情報を受信して、これに応じた編集処理を実行する。また、ユーザ通知部３４が、編集処理部で編集された興味情報のユーザの同一性を判定し、この判定結果に応じて編集通知を行う。
【００５７】
実施の形態３．
図６は、この発明の実施の形態３によるユーザ端末装置の構成を示すブロック図であり、図１と同一構成部には同一符号を付して説明を省略する。図６において、実施の形態３のユーザ端末装置２Ｃは、ユーザ入力部２０、ユーザ情報検出部２１Ａ、位置検出部２１ａ、計時部２１ｂ、通信部２３、出力部２４、ユーザ状態センサ２６、興味情報推定部２７及びユーザ情報・興味関係データ記憶部２８を備える。
【００５８】
ユーザ情報検出部２１Ａは、ユーザ入力部２０を用いてユーザ端末装置２Ｃに入力された情報の中から、ユーザ入力部２０を用いたユーザＡの明示的な操作によって入力された興味対象を検出して、この興味対象及びこれが入力された地点の位置情報を含む興味情報と、上記興味対象が入力された時点におけるユーザＡの状態を示す情報とを組み合わせたユーザ状態・興味関係データを生成する構成部である。なお、興味対象の検出方法は、上記実施の形態１と同様に、興味対象入力用のＨＭＩで入力された情報を興味対象として検出する。例えば、興味対象入力用のＨＭＩで興味対象に特定の拡張子を設定する等して、他の情報から識別する。
【００５９】
ユーザ状態センサ２６は、ユーザＡの状態を示す情報を検出するセンサであり、心拍数等のようにユーザＡの身体的な状態を示す生体情報や、視線の移動量及び車速の変化等のようにユーザＡの精神的な状態が反映される車両の運転状況を示す情報を、ユーザ状態を示す情報として検出する。
例えば、脈拍を検出するセンサを用いて、興味対象が入力された時刻から一定時間（通常１分間）の心拍数を検出する。また、ユーザＡを撮影するカメラを用い、ユーザＡが撮影された画像から視線の位置を画像認識することで、興味対象が入力された時刻から一定時間内での視線の移動量を検出する。さらに、車両制御装置から取得した車両情報に基づいて、興味対象が入力された時刻から一定時間での車速の変化を検出する。
なお、ユーザ状態を示す情報は、上記心拍数や視線移動量、車速変化に限らず、ユーザが興味対象を入力する際のユーザ状態を特定できる情報であればよい。
【００６０】
興味情報推定部２７は、ユーザ情報・興味関係データ記憶部２８に保存されている過去のユーザ状態・興味関係データを用いて、ユーザＡが興味対象を入力する際のユーザ状態の傾向を求め、この傾向を示すユーザ状態データ範囲に基づいて、ユーザＡの興味対象を推定する構成部である。例えば、ユーザ状態センサ２６から逐次入力されてくるユーザＡのユーザ状態を示す情報が、予め求めたユーザＡについて興味対象を入力する際のユーザ状態の傾向を示す範囲内にあると、当該興味対象がその時点におけるユーザＡの興味対象と推定する。
【００６１】
ユーザ情報・興味関係データ記憶部２８は、ユーザ情報・興味関係データを保存するための記憶部であり、ユーザ情報検出部２１Ａによって生成されたユーザ情報・興味関係データや、興味情報推定部２７で生成されたユーザ情報・興味関係データが記憶される。
なお、実施の形態３のサーバ装置３では、興味情報を、ユーザ情報・興味関係データとしてサーバ側興味情報記憶部３３に記憶する。従って、上記実施の形態１の説明における“興味情報”を“ユーザ情報・興味関係データ”に置き換えることで、実施の形態３でのサーバ装置３の動作を説明できる。
【００６２】
次に動作について説明する。
図７は、実施の形態３のユーザ端末装置による処理の流れを示すフローチャートであり、この図７に沿って処理の詳細を述べる。なお、実施の形態３のユーザ端末装置２Ｃによる処理は、ユーザが行う明示的な操作で入力された興味対象を含む興味情報とその入力時のユーザ状態との組み合わせからなるユーザ情報・興味関係データを生成し保存する処理と、過去のユーザ情報・興味関係データから求めた傾向から、ユーザＡの興味対象を推定する処理に分けられる。
【００６３】
（１）ユーザ情報・興味関係データの生成・保存
ユーザＡが移動中に通り掛かった地点で興味を持った対象（興味対象）を、ユーザ入力部２０を用いて入力する（ステップＳＴ１ｂ）。なお、興味対象の入力方法は、上記実施の形態１と同様である。
次に、ユーザ情報検出部２１Ａは、ユーザ入力部２０を用いてユーザ端末装置２Ｃ内に入力された情報の中から、興味対象入力用ＨＭＩで入力された情報を興味対象として検出し、少なくともこの興味対象が入力された地点の位置情報を付加して興味情報を生成する（ステップＳＴ２ｂ）。例えば、＜緯度，経度，・・・：興味対象＞という情報（属性）の列から興味情報を構成する。
【００６４】
続いて、ユーザ情報検出部２１Ａは、ユーザ状態センサ２６から、ステップＳＴ１ｂで興味対象が入力された時刻に検出されたユーザ状態を取得し（ステップＳＴ３ｂ）、これとステップＳＴ２ｂで生成した興味情報とを組み合わせてユーザ情報・興味関係データを生成し、ユーザ情報・興味関係データ記憶部２８に保存する（ステップＳＴ４ｂ）。
ユーザ状態・興味関係データは、興味情報と、ユーザ状態を示す情報の列と、上記興味情報への参照情報から構成される。例えば、＜ｉｄ番号，緯度，経度，・・・：気になるお店＞という興味情報と、この興味情報への参照及びユーザ状態を示す情報の列からなる＜ｒｅｆ（ｉｄ番号），視線移動量（２０ｃｍ／秒），車速変化（−１０ｋｍ／秒）＞という情報とから、ユーザ状態・興味関係データが構成される。
【００６５】
（２）興味対象の推定
次に、興味情報推定部２７は、ユーザ情報・興味関係データ記憶部２８に保存されている過去のユーザ状態・興味関係データを用いて、ユーザＡが興味対象を入力する際のユーザ状態の傾向を学習する（ステップＳＴ５ｂ）。なお、ユーザ状態の傾向を学習するアルゴリズムとしては、強化学習や機能論理プログラミングの手法等を利用する。
例えば、情報ジャンル“気になるお店”が興味対象であるユーザ状態・興味関係データから、情報ジャンル“気になるお店”を入力する際のユーザ状態の傾向が学習され、その傾向を示すユーザ状態データ範囲が求められる。つまり、視線移動量が１５ｃｍ／秒以上で、かつ車速変化が±７ｋｍ／秒というようなユーザ状態データ範囲が決定される。
【００６６】
次いで、興味情報推定部２７は、ユーザ状態センサ２６から逐次入力されてくるユーザＡのユーザ状態を示す情報が、ステップＳＴ５ｂで求めたユーザ状態の傾向を示す範囲内にあると、その傾向が示す興味対象が、現時点でのユーザＡの興味対象と推定する（ステップＳＴ６ｂ）。例えば、現在のユーザ状態が、視線移動量が２０ｃｍ／秒で車速変化が±７ｋｍ／秒であると、ステップＳＴ５ｂで求めたユーザ状態の傾向を示す範囲内であることから、現時点でのユーザＡの興味対象が“気になるお店”であると推定される。
【００６７】
この後、興味情報推定部２７は、ユーザ情報検出部２１Ａと同様にして、ステップＳＴ６ｂで推定した興味対象及びこのときの地点の位置情報を少なくとも含む興味情報を生成し、さらにこの興味情報とこのときのユーザＡの状態を示す情報とを組み合わせたユーザ状態・興味関係データを生成して、ユーザ情報・興味関係データ記憶部２８に保存するようにしてもよい。この場合、出力部２４が、興味情報推定部２７に推定された興味情報を含むユーザ情報・興味関係データをユーザＡに提示して、ユーザＡに保存すべきか否かを承認させるＨＭＩを提供して、ユーザＡに承認されたユーザ情報・興味関係データのみを保存する。承認されなかったユーザ情報・興味関係データについては保存せず、その推定に用いたユーザ状態の傾向を示す範囲を廃棄して新たに学習し直すか、より厳格に推定されるようにその範囲が狭くなるように補正する。このようにすることで、興味対象の推定精度を向上させることができる。
【００６８】
また、ステップＳＴ６ｂにおいて、興味情報推定部２７が、推定した興味対象及びこのときの地点の位置情報を検索キーとして、通信部２３を介してサーバ装置３に検索要求を行うようにしてもよい。出力部２４は、サーバ装置３から送信されてきた検索結果のユーザ情報・興味関係データをユーザＡに提示する。このとき、ユーザＡからは、車両等での移動中に通り掛かった地点において、そのときの自身の状態に応じて推定された興味対象を含む興味情報が自動的に提示されることになる。
【００６９】
以上のように、この実施の形態３によれば、ユーザの状態を検出するユーザ状態センサ２６と、ユーザ情報検出部２１Ａにより生成された興味情報と、この情報に含まれる興味の対象が入力された時点で、ユーザ状態センサ２６に検出されたユーザの状態とを組み合わせたデータを記憶するユーザ情報・興味関係データ記憶部２８と、ユーザ情報・興味関係データ記憶部２８に記憶されたデータから興味の対象が入力される際のユーザ状態の傾向を学習し、学習したユーザ状態の傾向に基づいて、ユーザ状態センサ２６で検出されたユーザの状態から、興味の対象を推定する興味情報推定部２７とを備える。このように構成することで、ユーザ状態センサ２６で検出されたユーザ状態を示す情報から、ユーザＡの興味対象を自動的に推定することができる。
【００７０】
また、本発明による情報処理装置は、車載用のナビゲーション装置のみならず、携帯電話端末又は携帯情報端末（ＰＤＡ；Personal Digital Assistance）の表示装置に適用してもよい。また車両、鉄道、船舶又は航空機等の移動体に、人が携帯して持ち込んで使用するＰＮＤ（Portable Navigation Device）等の表示装置に適用してもかまわない。
【００７１】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７２】
この発明に係る情報処理装置は、ユーザが移動中に通り掛かった地点で興味を持った対象を的確に保存しこの地点の情報を適宜利用することができるので、走行経路沿いの情報を取得するナビゲーション装置に好適である。
【符号の説明】
【００７３】
１，１Ａ  情報処理システム、２，２Ａ，２Ｂ，２Ｃ  ユーザ端末装置、３，３Ａ  サーバ装置、４  通信ネットワーク、２０  ユーザ入力部、２１  ユーザ情報検出部、２２  装置側興味情報記憶部、２３，３０  通信部、２４  出力部、２５  編集処理部、２６  ユーザ状態センサ、２７  興味情報推定部、２８  ユーザ情報・興味関係データ記憶部、３１  ユーザ認証部、３２  ユーザ情報検索部、３３  サーバ側興味情報記憶部、３４  ユーザ通知部。
【図１】
2012098574.tif 000003
【図２】
2012098574.tif 000004
【図３】
2012098574.tif 000005
【図４】
2012098574.tif 000006
【図５】
2012098574.tif 000007
【図６】
2012098574.tif 000008
【図７】
2012098574.tif 000009
【手続補正書】
【提出日】平成25年2月4日(2013.2.4)
【手続補正１】
【補正対象書類名】明細書
【補正対象項目名】全文
【補正方法】変更
【補正の内容】
【発明の詳細な説明】
【技術分野】
【０００１】
この発明は、移動中に通りがかった地点に関する情報を登録したり、提供することができる情報処理システム及びこれに用いる情報処理装置に関する。
【背景技術】
【０００２】
ユーザの明示的な操作に応じて情報を登録する従来の技術として、例えば、特許文献１に開示されるシステムがある。このシステムでは、ユーザがリモコンを操作すると、このリモコンに設けた環境変化検出手段が、これをリモコン周辺の環境変化として検出する。環境変化検出手段によってリモコン周辺の環境変化が検出されると、これを契機として、撮像装置が撮像を開始し、撮像画像が記録装置に記録される。これにより、ユーザによる明示的な操作に応じて、ユーザがリモコンの周辺で起こした行動をライフログとして記録することができる。
【先行技術文献】
【特許文献】
【０００３】
【特許文献１】特開２００８−１６０６１２号公報
【発明の概要】
【発明が解決しようとする課題】
【０００４】
従来のカーナビゲーションシステムには、ある地点を予め登録しておくことで、後からその地点を目的地又は経由地に設定することができるものがある。ただし、施設情報等のような地点に関する情報（ＰＯＩ（Point Of Interest）情報）は、システムの出荷時に予め設定された情報のみである。従って、車両での走行中にある地点でユーザが何らかの対象に興味を持ったとしても、この地点に関する情報が予め設定された情報になければ、何の情報も得ることができない。
【０００５】
また、近年では通信ネットワークを介した情報検索が普及しているが、検索キーによっては、膨大な量の情報が検索対象となる。例えば、車両での移動中に景色が良い場所を通り掛かり、この場所に関するＰＯＩ情報を利用したい場合に、この場所の名称を検索キーとすると、その名称を含む全ての情報が検索対象となるので、この場所に無関係な情報であっても大量に抽出される。特に、ユーザが移動中に行った検索で大量の情報が抽出されると、これらの情報から直ちに所望の地点に関する情報を得るのは非常に困難である。
【０００６】
そこで、ユーザの行動を随時記録したライフログから、移動中にユーザが通った地点に関する情報を検索すれば、この地点に無関係な情報を除外できるが、ライフログを随時記録するには大容量の記憶装置が必要である。また、随時記録されてライフログが膨大な量になると、所望の地点に関する情報を見つけるまでに必要な検索時間がかかり、移動中に行う検索としては現実的でない。
この場合、特許文献１に代表される従来の技術のように、ユーザによる何らかの明示的な操作を契機にライフログを記録すれば、ライフログの肥大化は抑えられる。
しかしながら、特許文献１は、情報の記録を開始するための契機として、リモコン操作やその周囲環境の変化を用いただけであるので、ユーザが移動中に通り掛かった地点で興味を持った対象を的確に保存することができない。
【０００７】
この発明は、上記のような課題を解決するためになされたもので、ユーザが移動中に通り掛かった地点で興味を持った対象を的確に保存し、この地点の情報を適宜利用することができる情報処理システム及びこれに用いる情報処理装置を得ることを目的とする。
【課題を解決するための手段】
【０００８】
この発明に係る情報処理装置は、移動体に搭載又は携帯される情報処理装置であって、移動体が移動した地点での興味の対象の入力を受け付けるユーザ入力部と、移動体の位置情報を検出する位置検出部と、ユーザ入力部で入力された興味の対象と位置検出部で検出された当該興味の対象が入力された地点の位置情報とを含む興味情報を生成する興味情報生成部と、外部装置と通信可能に接続して、興味情報生成部で生成された興味情報を外部装置に保存し、外部装置に保存された興味情報のうち、要求に応じて検索された興味情報を取得する通信部と、興味情報生成部で生成された興味情報又は通信部で取得された興味情報を出力して、ユーザに提示する出力部と、外部装置に保存された興味情報を編集する編集処理部とを備える。
【発明の効果】
【０００９】
この発明によれば、ユーザが移動中に通り掛かった地点で興味を持った対象を的確に保存し、この地点の情報を適宜利用することができるという効果がある。
【図面の簡単な説明】
【００１０】
【図１】この発明の実施の形態１による情報処理システムの構成を示すブロック図である。
【図２】実施の形態１の情報処理システムによる処理の流れを示すフローチャートである。
【図３】興味対象入力用画面の一例を示す図である。
【図４】この発明の実施の形態２による情報処理システムの構成を示すブロック図である。
【図５】実施の形態２の情報処理システムによる編集処理の流れを示すフローチャートである。
【図６】この発明の実施の形態３によるユーザ端末装置の構成を示すブロック図である。
【図７】実施の形態３のユーザ端末装置による処理の流れを示すフローチャートである。
【発明を実施するための形態】
【００１１】
以下、この発明をより詳細に説明するため、この発明を実施するための形態について、添付の図面に従って説明する。
実施の形態１．
図１は、この発明の実施の形態１による情報処理システムの構成を示すブロック図である。図１において、実施の形態１の情報処理システム１は、ユーザＡによって管理されるユーザ端末装置２及びサーバ装置３を備える。
ユーザ端末装置２は、車両等の移動体に搭載された車載機器又はユーザＡに携帯される機器として構成される情報処理装置であり、車両等での移動又は歩行の間に通り掛かった地点でユーザＡが興味を持った対象を含む情報を、通信ネットワーク４を経由してサーバ装置３に保存したり、サーバ装置３に保存されている情報から所望の情報を閲覧することができる。その構成としては、ユーザ入力部２０、ユーザ情報検出部２１、位置検出部２１ａ、計時部２１ｂ、装置側興味情報記憶部２２、通信部２３及び出力部２４を備える。
【００１２】
ユーザ入力部２０は、ユーザ端末装置２へ情報を入力する構成部であり、特に、サーバ装置３に保存する情報を入力したり、ユーザが興味を持った地点に関する情報を検索するためのキー情報を入力する場合に利用される。これらの入力処理は、車両等での移動又は歩行によってユーザＡが移動している間に実施される場合が多いので、ユーザ入力部２０を用いた簡単な入力操作に関連付けられる。
つまり、本発明のユーザ端末装置２は、ユーザＡが移動中に通り掛かった地点で興味を持った対象（以下、興味対象と呼ぶ）を入力するための興味対象入力用のヒューマンマシンインタフェース（ＨＭＩ）を提供する。
例えば、ユーザ入力部２０が出力部２４の表示画面を用いたタッチパネルである場合、タッチ操作で興味対象を入力するＨＭＩとして、この表示画面上に興味対象入力用画面を表示する。興味対象入力用画面には、情報ジャンル毎のソフトウェアボタンが設けられており、ユーザＡが、興味を持った対象に対応する情報ジャンルのボタンを押下することにより、この情報ジャンルの内容が興味対象として入力される。
【００１３】
また、ユーザ入力部２０が音声認識システムである場合は、音声入力操作によって興味対象を入力する興味対象入力用のＨＭＩを提供することができる。このＨＭＩでは、ユーザＡが興味を持った対象を発声することにより、この発声を音声認識した結果が興味対象として入力される。なお、興味対象入力用のＨＭＩを、ユーザＡの発声を単に録音する構成として、興味対象を録音データで入力するようにしてもよい。
【００１４】
さらに、ユーザ入力部２０が画像認識システムである場合は、撮像操作によって興味対象を入力する興味対象入力用のＨＭＩを提供することができる。このＨＭＩでは、ユーザＡが興味を持った対象をジェスチャで表現したり又はその対象物を見ることにより、これをカメラ等の撮像装置で撮像した動画像を画像認識又は視線認識した結果が、興味対象として入力される。なお、単に撮像画像データを興味対象として入力するようにしてもかまわない。
【００１５】
ユーザ情報検出部２１は、ユーザ入力部２０を用いてユーザ端末装置２内に入力された情報の中から、ユーザＡによって入力された興味対象を検出する構成部である。例えば、上述の興味対象入力用のＨＭＩで入力された情報を興味対象として検出する。すなわち、興味対象入力用のＨＭＩで興味対象に特定の拡張子を設定する等して、他の情報から識別する。
また、ユーザ情報検出部２１は、位置検出部２１ａで検出された位置情報及び計時部２１ｂで計時された時刻情報を逐次入力して、ユーザＡによって興味対象が入力された地点の位置情報、興味対象が入力された時刻、予め設定されたユーザ情報から抽出されたユーザ名や車種等を興味対象に付加した興味情報を生成する興味情報生成部として機能する。
なお、上記興味情報は、興味対象が入力された地点に関するＰＯＩ情報として扱われるため、興味対象に対する付加情報には、少なくとも興味対象が入力された地点の位置情報が含まれる。
【００１６】
興味対象には、上述したようにユーザが興味を持った対象物の撮像画像や対象物を見るユーザの視点位置やその滞留時間、音声情報が含まれる。
また、興味対象入力用ＨＭＩによっては、画一的な情報ジャンルが興味対象として入力される。例えば、“新しい中華料理店”という情報ジャンルは、複数のユーザの間で共通に扱われる。このように複数のユーザの間で共通に扱われる興味対象は、この興味対象に関する興味情報を検索するキー情報として利用でき、またその興味情報の分類や利用頻度のような統計処理を施す場合に有効である。
一方、複数のユーザの間で共通に扱われない情報、例えばユーザが独自に発した内容の音声ファイル等で興味対象を表す場合、ユーザの個性を反映させた興味情報を生成する際に有効である。
【００１７】
また、興味情報は、興味対象と対応する地点の位置情報とを含む情報（属性）の列から構成される。例えば、＜時刻，緯度，経度，興味対象＞のように構成され、“時刻”は、興味対象が入力された時刻であり、“緯度，経度”は、興味対象が入力された地点の位置情報である。なお、興味情報は、＜時刻，＜緯度，経度＞，興味対象＞というように情報の一部を入れ子に構成してもよい。
【００１８】
一方、ユーザＡが興味を持った地点に関する興味情報を検索するためのキー情報を入力する場合は、興味対象の入力よりも単純なＨＭＩでよい。
例えば、ユーザ入力部２０が出力部２４の表示画面を利用したタッチパネルである場合に、タッチ操作でキー情報を入力するＨＭＩとして、地点入力用のソフトウェアボタンを表示画面に表示する。ユーザＡが、例えば景色が良い地点に通りがかり、この地点に興味を持った場合、この地点入力用ボタンを押下するだけで、図２にて後述するようにして、この地点に関する興味情報（ＰＯＩ情報）がサーバ装置３からフィードバックされる。
【００１９】
位置検出部２１ａは、ユーザ端末装置２の位置を検出する構成部であり、例えばＧＰＳ（Global Positioning System）受信機、車速センサ、加速度センサ、角速度センサ等で現在位置情報を検出する。計時部２１ｂは、ユーザ端末装置２として機能するコンピュータに内蔵された内蔵時計である。
装置側興味情報記憶部２２は、ユーザ端末装置２で興味情報を保存しておくための記憶部であり、ユーザ情報検出部２１で生成された興味情報や、通信部２３によってサーバ装置３から取得された興味情報が記憶される。
【００２０】
通信部２３は、インターネット等の通信ネットワーク４を介してサーバ装置３の通信部３０と通信可能に接続してデータ通信を行う構成部である。
出力部２４は、ユーザＡに興味情報を出力して提示する構成部であり、少なくとも表示モニタに興味情報を表示する表示出力部、及びスピーカ等で興味情報を音出力する音出力部として機能する。
【００２１】
なお、ユーザ入力部２０、ユーザ情報検出部２１、位置検出部２１ａ、計時部２１ｂ、通信部２３及び出力部２４は、例えば、この発明の趣旨に従う情報処理用プログラムを、ユーザ端末装置２として機能するコンピュータに実行させることにより、ハードウェアとソフトウェアが協働した具体的な手段として実現される。
また、装置側興味情報記憶部２２は、例えば、上述のコンピュータに搭載された記憶装置の記憶領域上に構築される。記憶装置としては、ハードディスク装置、半導体メモリ、ＣＤやＤＶＤ等の記憶メディアのドライブ装置等が挙げられる。
【００２２】
サーバ装置３は、興味情報をユーザ毎に管理するとともに、ユーザから要求された興味情報を検索して返信する情報検索サーバであり、通信ネットワーク４を介してユーザ端末装置２と通信可能に接続される。その構成として、通信部３０、ユーザ認証部３１、ユーザ情報検索部３２及びサーバ側興味情報記憶部３３を備える。
【００２３】
通信部３０は、通信ネットワーク４を介してユーザ端末装置２の通信部２３と通信可能に接続してデータ通信を行う構成部である。
ユーザ認証部３１は、興味情報の保存及び閲覧（編集）を希望するユーザの認証処理を行う構成部である。例えば、ユーザ認証部３１が、この情報処理システム１によって提供されるサービスに登録したユーザに付与されたユーザＩＤを管理しており、ユーザ端末装置２からの各種要求に含まれるユーザＩＤを照合してユーザ認証を行う。
【００２４】
ユーザ情報検索部３２は、ユーザ端末装置２から要求された興味情報を、サーバ側興味情報記憶部３３から検索する構成部であり、例えば興味情報に含まれる興味対象及び付加情報をキーとして検索を行う。また、検索結果に基づいた演算、例えば同一情報（属性）が利用される頻度やこの頻度の一定時間内の変化を演算する検索機能を持たせてもよい。
なお、地点の位置情報（緯度、経度）をキーとして興味情報の検索が要求された場合、ユーザ情報検索部３２は、検索キーの地点を含む所定の範囲のエリア内に含まれる地点に関する興味情報を検索する。例えば、その地点を中心とした半径が所定の距離の円エリア内における地点の興味情報を検索対象とする。
上記所定の範囲は、ユーザが検索キーの地点と同様の興味を持つと予想される距離範囲であればよく、検索キーの地点の位置との距離差が３０ｍ程度のエリアが考えられる。
さらに、時刻がキーに含まれる興味情報の検索が要求された場合は、この時刻から所定の時間範囲で前後した時刻に対応する興味情報についても検索を行う。上記の所定の時間範囲についても、ユーザが検索キーの時刻と同様の興味を持つと予想される時間範囲であればよく、検索キーの時刻との時間差が３０分程度の時間範囲が考えられる。
【００２５】
サーバ側興味情報記憶部３３は、ユーザ端末装置２から送信された興味情報を保存するための記憶部であり、興味情報がその生成元のユーザのユーザＩＤに対応付けて記憶される。なお、サーバ側興味情報記憶部３３に保存される興味情報は、装置側興味情報記憶部２２の場合と同様に、興味対象と対応する地点の位置情報とを含む情報（属性）の列から構成される。
【００２６】
なお、通信部３０、ユーザ認証部３１及びユーザ情報検索部３２は、例えば、この発明の趣旨に従う情報処理用プログラムを、サーバ装置３として機能するコンピュータに実行させることにより、ハードウェアとソフトウェアが協働した具体的な手段として実現される。また、サーバ側興味情報記憶部３３は、例えば上述のコンピュータに搭載された記憶装置の記憶領域上に構築される。
【００２７】
次に動作について説明する。
図２は、実施の形態１の情報処理システムによる処理の流れを示すフローチャートであり、ユーザ端末装置２が車載機器として構成された場合について説明する。
なお、実施の形態１の情報処理システム１による処理は、ユーザが行う明示的な操作によって興味対象を入力し、この興味対象を含む興味情報を生成してサーバ装置３に保存する処理と、ユーザが移動中に通り掛かった地点に関する興味情報を閲覧（利用）する処理に分けられる。
【００２８】
（１）興味情報の生成・保存
ユーザＡが移動中に通り掛かった地点で興味を持った対象（興味対象）を、ユーザ入力部２０を用いて入力する（ステップＳＴ１）。
図３は、興味対象入力用画面の一例を示す図であり、ユーザ入力部２０が出力部２４の表示画面を利用したタッチパネルである場合を示している。図３では、地図表示欄４０の他に、興味対象入力用のソフトウェアボタン４１ａ〜４１ｄが設けられている。
【００２９】
ソフトウェアボタン４１ａ〜４１ｄには、各種の情報ジャンルが記載されている。
例えば、頻繁に渋滞する地点に通り掛かった際に、渋滞ポイントボタン４１ａを押下することで、“渋滞ポイント”という情報ジャンルが興味対象としてユーザ情報検出部２１へ出力される。また、ユーザが知らなかった新しいお店に通り掛かった場合には、気になるお店ボタン４１ｂを押下することで、“気になるお店”という情報ジャンルが興味対象としてユーザ情報検出部２１へ出力される。同様に、工事中の地点に通り掛かった場合、工事ポイントボタン４１ｃを押下することにより、“工事ポイント”という情報ジャンルが興味対象としてユーザ情報検出部２１へ出力される。さらに、頻繁に事故が発生する地点に通り掛かった際は、危険ポイントボタン４１ｄを押下することで、“危険ポイント”という情報ジャンルが興味対象としてユーザ情報検出部２１へ出力される。
【００３０】
なお、図３に示したソフトウェアボタンの情報ジャンルは一例であり、情報ジャンルをさらに大分類したものを利用してもよく、大分類から詳細な情報ジャンルへ階層的に設定できるようにしてもよい。
また、上記の説明では、興味対象入力用のソフトウェアボタン４１ａ〜４１ｄを、出力部２４の表示画面２４Ａに表示する場合を示したが、ハンドルに備え付けた専用ボタンとして設けてもかまわない。
【００３１】
複数の入力装置を組み合わせて興味対象を入力するようにしてもよい。
例えば、興味対象入力用画面と音声認識システムを組み合わせて、ソフトウェアボタン４１ａ〜４１ｄのいずれかを押下した際に、その興味対象の詳細な内容を発声することにより、その音声認識結果を付加情報とする。また、ソフトウェアボタン４１ａ〜４１ｄのいずれかを押下した時点で、車外を撮像した画像やユーザのジェスチャを撮影した映像を付加情報としてもかまわない。
【００３２】
複数の入力装置を組み合わせて興味情報を入力するにあたり、車両の走行状況に応じて利用できる入力装置を制限してもよい。例えば、タッチパネルで操作するソフトウェアボタン４１ａ〜４１ｄと、ハンドルに備え付けた専用ボタンとを備えている場合に、車両の走行中にはタッチ操作を無効とし、ハンドルに備え付けた専用ボタンのみを有効にする。
【００３３】
ユーザ情報検出部２１は、ユーザ入力部２０を用いてユーザ端末装置２内に入力された情報のうち、興味対象入力用ＨＭＩで入力された情報を興味対象として検出し、少なくとも、この興味対象が入力された地点の位置情報を付加して興味情報を生成する（ステップＳＴ２）。例えば、興味情報は、上述したように＜緯度，経度，・・・：興味対象＞という情報（属性）の列から構成される。
なお、興味情報は、興味対象を示すデータのファイル名を利用して、興味対象を示すデータに相当する外部の情報を参照するように構成してもよい。
例えば、画像データや音声データで表される興味対象を含む場合、データのファイル名を設定する。つまり、興味対象が音声データであり、これが興味情報とは別個な記憶領域に保存されている場合、音声データのファイル名が＜緯度，経度，・・・：ファイル名＞のように設定された興味情報が生成される。
また、興味情報は、複数の興味対象を含んでいてもよい。例えば、興味対象を示すデータのファイル名を利用する場合には、興味情報を、音声データ自体と、そのファイル名を興味対象として構成してもよい。
【００３４】
次に、ユーザ情報検出部２１は、生成した興味情報を装置側興味情報記憶部２２に保存する（ステップＳＴ３）。
装置側興味情報記憶部２２に興味情報が保存されると、通信部２３は、通信ネットワーク４を介してサーバ装置３と通信可能に接続して、ユーザＡのユーザＩＤを含む保存要求を送信する。なお、通信部２３が、装置側興味情報記憶部２２に保存しない場合、ユーザ情報検出部２１によって興味情報が生成された時点で保存要求を送信してもよい。
サーバ装置３のユーザ認証部３１は、通信部３０によってユーザ端末装置２からの保存要求を受信すると、この要求に含まれるユーザＩＤを基に、要求元のユーザＡを認証する（ステップＳＴ４）。
【００３５】
ユーザ端末装置２の通信部２３は、サーバ装置３から認証されると、ステップＳＴ２で生成された興味情報を、通信ネットワーク４を介してサーバ装置３へ送信する。
サーバ装置３のユーザ認証部３１は、通信部３０によりユーザ端末装置２から受信した興味情報を、ユーザＡのユーザＩＤに対応付けてサーバ側興味情報記憶部３３に保存する（ステップＳＴ５）。ここまでが、興味情報の生成・保存処理に相当する。
【００３６】
（２）興味情報の閲覧（利用）
ユーザＡが、車両での移動中に通り掛かった地点に関する興味情報を閲覧したい場合、ユーザ入力部２０を用いて、この興味情報の検索キーとなる情報を入力する。
例えば、ユーザ入力部２０が出力部２４の表示画面を利用したタッチパネルである場合に、地点入力用のソフトウェアボタンを表示画面上に表示する。ユーザＡが、例えば景色の良い場所に通り掛かり、この地点に関する興味情報を閲覧したい場合には、地点入力用ボタンを押下する。これにより、ユーザ入力部２０が、地点入力用ボタンが押下された旨をユーザ情報検出部２１へ通知する。
【００３７】
ユーザ情報検出部２１は、地点入力用ボタンが押下された旨、すなわちユーザＡが興味を持った地点であることを示す情報が入力された旨が通知されると、その時点の位置情報を位置検出部２１ａから取得して、この位置情報及びユーザＩＤを含む検索要求を通信部２３へ出力する。通信部２３は、ユーザ情報検出部２１から入力した上記検索要求を、通信ネットワーク４を介してサーバ装置３へ送信する。
【００３８】
サーバ装置３のユーザ認証部３１は、通信部３０によってユーザ端末装置２からの検索要求が受信されると、この検索要求に含まれるユーザＩＤを基に、検索要求元のユーザＡを認証する。なお、ステップＳＴ５からの一連の処理としてサーバ側興味情報記憶部３３に保存した興味情報と同一の地点に関する他の興味情報を検索する場合は、ステップＳＴ４で既にユーザ認証が済んでいるので、上記認証処理は省略される。
【００３９】
次いで、ユーザ情報検索部３２は、上記検索要求から抽出した位置情報をキーとして、サーバ側興味情報記憶部３３を検索する（ステップＳＴ６）。ここでは、上述したように検索キーとした位置情報の地点を含む所定の範囲のエリア内に含まれる地点の興味情報についても、検索要求された興味情報とみなして検索される。
ステップＳＴ５で保存した興味情報と同一の地点に関する興味情報を検索する場合においても、位置情報に同一とみなす上記所定の範囲を設定し、この範囲のエリア内に含まれる地点の興味情報を検索する。
サーバ側興味情報記憶部３３に検索要求された興味情報がある場合（ステップＳＴ６；ＹＥＳ）、ユーザ情報検索部３２は、サーバ側興味情報記憶部３３から当該興味情報を読み出し、通信部３０によって要求元のユーザ端末装置２へ送信する（ステップＳＴ７）。
また、ステップＳＴ７において、ユーザ情報検索部３２が、サーバ側興味情報記憶部３３に保存される興味情報について検索要求された頻度又はこの頻度の一定期間における変化を記録しておき、これらの情報を検索結果の興味情報に付加して、検索要求元のユーザ端末装置２へ送信するようにしてもよい。この場合、検索要求元のユーザ端末装置２へ送信される興味情報は、例えば＜緯度，経度，頻度，付加情報１，付加情報２，・・・：興味対象＞のような構成となる。このようにすることにより、興味情報が検索要求された頻度、すなわちその地点が興味を持たれた度合いを把握することができる。
【００４０】
ユーザ端末装置２の通信部２３は、ユーザＡから“保存”が設定されていれば（ステップＳＴ８；ＹＥＳ）、サーバ装置３から受信した検索結果の興味情報を、装置側興味情報記憶部２２に保存する（ステップＳＴ９）。
一方、ユーザＡから“保存”が設定されていない（ステップＳＴ８；ＮＯ）、もしくはステップＳＴ９にて検索結果の興味情報を装置側興味情報記憶部２２に保存すると、通信部２３は、検索結果の興味情報を出力部２４へ渡す。出力部２４は、入力した検索結果の興味情報をユーザＡへ提示する（ステップＳＴ１０）。
また、ステップＳＴ５からの一連の処理としてサーバ側興味情報記憶部３３に保存した興味情報と同一の地点に関する他の興味情報を検索した場合には、ステップＳＴ５で保存した興味情報以外に同一の地点に関して保存されていた興味情報が提示される。
このように、移動中に通り掛かった景色の良い場所で、ユーザＡが、ユーザ入力部２０を用いて興味を持った地点であることを示す明示的な入力操作を施すことにより、サーバ装置３から、この地点に関する興味情報（ＰＯＩ情報）がフィードバックされる。
【００４１】
検索要求された興味情報がない場合（ステップＳＴ６；ＮＯ）、サーバ装置３の通信部３０は、興味情報がないことを示す情報を要求元のユーザ端末装置２へ送信する。
ユーザ端末装置２の通信部２３は、上記情報をサーバ装置３から受信すると、検索要求した興味情報がない旨を出力部２４に通知する。この通知を受けると、出力部２４は、検索要求した興味情報がない旨をユーザＡへ提示する（ステップＳＴ１１）。
【００４２】
なお、興味情報の提示方法は、自車両の走行状態に応じて下記のようにしてもよい。
（Ａ）自車両が停止した時点で、それまでに生成した興味情報（例えば、装置側興味情報記憶部２２に保存した興味情報）を提示する。
（Ｂ）自車両が走行中である場合には、興味情報を表示せず、音声のみで提示する。
（Ｃ）自車両が以前に興味対象を入力した地点に到達すると、その地点に関する興味情報を提示する。この場合、装置側興味情報記憶部２２に保存した過去の興味情報であってもよく、サーバ装置３へ検索要求を行い、当該地点に関して新たに保存されていた興味情報を提示してもよい。
【００４３】
以上のように、この実施の形態１によれば、移動した地点での興味の対象の入力を受け付けるユーザ入力部２０と、位置情報を検出する位置検出部２１ａと、ユーザ入力部２０で入力された興味の対象と位置検出部２１ａで検出された当該興味の対象が入力された地点の位置情報とを含む興味情報を生成するユーザ情報検出部２１と、サーバ装置３と通信可能に接続して、ユーザ情報検出部２１で生成された興味情報をサーバ装置３に保存し、サーバ装置３に保存された興味情報のうち、要求に応じて検索された興味情報を取得する通信部２３と、ユーザ情報検出部２１で生成された興味情報又は通信部２３で取得された興味情報を出力して、ユーザに提示する出力部２４とを備える。このように構成することにより、ユーザが移動中に通り掛かった地点で興味を持った対象を的確に保存し、この地点の情報を適宜利用することができる。
【００４４】
上記実施の形態１では、ユーザ端末装置２とサーバ装置３が、インターネット等の通信ネットワーク４を介して情報をやり取りする場合を示したが、本発明は、これに限定されるものではない。例えば、サーバ装置３が、路側無線通信装置を介して車両に搭載されたユーザ端末装置２との間で情報をやり取りしてもよい。
また、ユーザ端末装置２を搭載する複数の車両がある場合に、通信部２３に車車間通信機能を持たせることで、サーバ装置３との間だけでなく、車車間通信範囲に存在する他の車両のユーザ端末装置２との間で情報をやり取りしてもよい。
【００４５】
実施の形態２．
図４は、この発明の実施の形態２による情報処理システムの構成を示すブロック図であり、図１と同一構成部には同一符号を付して説明を省略する。図４に示す例では、実施の形態２の情報処理システム１Ａにおいて、サーバ装置３ＡがユーザＡに管理されたユーザ端末装置２Ａ及びユーザＢに管理されたユーザ端末装置２Ｂからそれぞれ通信可能に接続される場合を示している。なお、サーバ装置３Ａに保存される興味情報は、ユーザ端末装置２Ａ，２Ｂの双方から閲覧可能である。
【００４６】
ユーザ端末装置２Ａは、上記実施の形態１で示した構成に加え、編集処理部２５を備える。編集処理部２５は、ユーザ入力部２０を用いて入力された情報に基づいて、興味対象及びその付加情報を含む興味情報を編集する構成部である。
以降では、ユーザＡが管理するユーザ端末装置２Ａを用いて、ユーザＢによってサーバ装置３Ａに保存された興味情報を編集する場合について述べる。従って、ユーザ端末装置２Ｂについては、ユーザ端末装置２Ａと同様に編集処理部２５を有する構成であっても、上記実施の形態１と同様の構成であってもよい。
【００４７】
また、サーバ装置３Ａは、上記実施の形態１で示した構成に加えて、ユーザ通知部３４を備える。ユーザ通知部３４は、通信部３０を用いてユーザ端末装置２Ａ，２Ｂに対して通知処理を実行する構成部であり、特に、興味情報を編集したユーザが、これを生成してサーバ側興味情報記憶部３３に保存したユーザと異なる場合、編集された興味情報を生成し保存したユーザに対して当該興味情報が編集されたことを示す編集通知を行う。
【００４８】
次に動作について説明する。
図５は、実施の形態２の情報処理システムによる編集処理の流れを示すフローチャートであり、この図５に沿って処理の詳細を述べる。
ユーザＡが、ユーザ入力部２０を用いてサーバ装置３Ａへのログインを指示する。通信部２３は、ユーザ入力部２０を用いてログインが指示されると、ユーザＡのユーザＩＤを含むログイン要求を、通信ネットワーク４を介してサーバ装置３Ａへ送信する。
サーバ装置３Ａのユーザ認証部３１は、通信部３０によってユーザ端末装置２Ａからのログイン要求を受信すると、このログイン要求に含まれるユーザＩＤを基に、要求元のユーザＡを認証する（ステップＳＴ１ａ）。
【００４９】
ユーザＡは、ユーザ認証部３１に認証されると、ユーザ入力部２０を用いて編集処理部２５を起動する。編集処理部２５は、ユーザ入力部２０及び出力部２４を用いて、情報編集用のＨＭＩを提供する。例えば、ユーザ入力部２０が出力部２４の表示画面を利用したタッチパネルである場合に、この表示画面上に情報編集用画面を表示する。
ユーザＡは、情報編集用画面へのタッチ操作で、サーバ装置３Ａに保存されている興味情報から、編集対象の興味情報を検索するよう指示する。
例えば、興味情報を構成する情報である、興味対象、この興味対象が入力された時刻、この興味対象を入力したユーザ名、この興味対象が入力された地点の位置等が検索キーとされる。この検索キーを含む検索要求は、通信部２３によってサーバ装置３Ａへ送信される。
【００５０】
サーバ装置３Ａのユーザ情報検索部３２は、通信部３０により受信された上記検索要求に含まれる検索キーに基づいて、サーバ側興味情報記憶部３３を検索する（ステップＳＴ２ａ）。なお、興味情報は、＜緯度，経度，頻度，付加情報１，付加情報２，・・・：興味対象＞のように情報（属性）の列からなるので、ＲＤＢ（リレーショナルデータベース）形式のデータとして扱える。そこで、ＳＱＬ（Structured Query Language）文などで検索を行うようにユーザ情報検索部３２を構成してもかまわない。ユーザ情報検索部３２による検索結果の情報は、通信部３０によってユーザ端末装置２Ａへ送信される。
【００５１】
ユーザ端末装置２Ａの通信部２３は、サーバ装置３Ａから受信した検索結果の興味情報を、上記情報編集用画面に表示する。
次いで、編集処理部２５が、ユーザ入力部２０にて入力された編集用の情報を用いて、上記検索結果の興味情報をデータ編集する（ステップＳＴ３ａ）。
例えば、入力された編集用の情報を興味情報に追加する編集を行う場合には、上記検索結果の興味情報が、＜ユーザ名，情報１，情報２，・・・，情報Ｎ：興味対象＞のように構成されているので、この列に続く形で情報を追加する。すなわち、編集後の興味情報のデータは、＜ユーザ名，情報１，情報２，・・・，情報Ｎ，情報Ｎ＋１：興味対象＞のような構成になる。
また、興味情報のデータ構成に興味情報毎に付与したｉｄを設定することで、このｉｄを参照（ｒｅｆ）としてデータ編集することが可能である。例えば、ｉｄを付与した興味情報は、＜ｉｄ，ユーザ名，情報１，情報２，・・・，情報Ｎ：興味対象＞のように構成され、これに追加するデータを＜ｉｄ，ユーザ名，ｒｅｆ，情報Ｎ＋１，・・・：興味対象＞のように構成すれば、ｉｄを参照して情報Ｎ＋１以降の情報が追加される。
このようにして編集された興味情報は、通信部２３によってサーバ装置３Ａへ送信される。
【００５２】
サーバ装置３Ａのユーザ情報検索部３２は、通信部３０により受信された編集後の興味情報を、ユーザＩＤ（ユーザＢ）に対応付けてサーバ側興味情報記憶部３３に保存する。
次いで、ユーザ通知部３４が、ユーザ端末装置２Ａからのログイン要求の際に得られたユーザＩＤと上記編集後の興味情報に対応付けられたユーザＩＤとを比較して、編集通知が必要であるか否かを判定する（ステップＳＴ４ａ）。ここで、双方のユーザＩＤが同一であり、ユーザＡが自身の興味情報を編集したと判断される場合には、編集通知が不要と判定され（ステップＳＴ４ａ；ＮＯ）、処理を終了する。
【００５３】
一方、双方のユーザＩＤが異なり、当該興味情報を最初に保存したユーザ以外のユーザによって編集されたと判断される場合、編集通知が必要であると判定され（ステップＳＴ４ａ；ＹＥＳ）、ユーザ通知部３４は、編集後の興味情報に対応付けられたユーザＩＤを基に、このユーザＩＤに対応するユーザ端末装置を特定する。ここでは、ユーザＡが、ユーザＢの興味情報を編集したので、編集後の興味情報に対応付けられたユーザＩＤから、ユーザ端末装置２Ｂが特定される。
この後、ユーザ通知部３４は、通信部３０を介して、ユーザ端末装置２Ｂへ編集通知を行う（ステップＳＴ５ａ）。なお、この編集通知は、例えば、電子メール、インスタントメッセンジャー、ＳＮＳ（Social Network Service）等によって実現可能である。
また、編集通知の内容は、興味情報が編集されたことのみでもよいが、編集したユーザ名、編集内容のダイジェスト等を通知してもかまわない。
さらに、編集前後の興味情報で新たな情報が追加されている場合に、ユーザ通知部３４が編集通知を行うようにしてもよい。
【００５４】
ここで、ユーザＢが移動中に通り掛かった地点に新しいお店があり、興味対象入力用のＨＭＩを介した入力操作によって、この地点の位置及び情報ジャンル（新しいお店）が、ユーザ端末装置２Ｂに入力され、興味情報としてサーバ装置３Ａに保存された場合を仮定して、システム利用の具体例を説明する。
上記興味情報は、ユーザＢによって、ユーザ端末装置２Ｂの編集処理部２５を用いて、上記と同様にして編集することができる。例えば、ユーザＢが、後日に、付加情報として“このお店の評判は？”というコメント情報を追加する編集を行ったものとする。
サーバ装置３Ａに保存される興味情報は、登録ユーザであれば閲覧が可能であるので、“このお店の評判は？”というコメントは、登録ユーザの間で見ることができる。
ここで、登録ユーザであるユーザＡが上記お店に実際に行っており、上記コメントに応じてお店の感想を述べる場合、ユーザ端末装置２Ａの編集処理部２５を用いて、ユーザＢの上記興味情報に対してコメント情報等を追加する編集を行う。
例えば、“あまり美味しくありませんでした”というコメントが追加されると、サーバ装置３Ａのユーザ通知部３４が、ユーザＢに対して編集通知を行う。
ユーザＢは、編集通知に応じて、ユーザ端末装置２Ｂで自身の興味情報を閲覧すると、新しいお店に関する評判として、“あまり美味しくありませんでした”というユーザＡのコメントを見ることができる。
【００５５】
以上のように、この実施の形態２によれば、サーバ装置３Ａに保存された興味情報を編集する編集処理部２５を備えたので、ユーザが移動中に通り掛かった地点での興味対象とその地点の位置情報のみを興味情報としてサーバ装置３Ａに保存した場合であっても、後日に興味情報を編集することができ、有用な興味情報を複数のユーザ間で共有することが可能である。
【００５６】
なお、上記実施の形態２では、編集処理部をユーザ端末装置に設けた場合を示したが、サーバ装置側に設けてもよい。この場合、サーバ装置の編集処理部が、通信ネットワーク４を介して通信部３０でユーザ端末装置からの編集要求及び編集用情報を受信して、これに応じた編集処理を実行する。また、ユーザ通知部３４が、編集処理部で編集された興味情報のユーザの同一性を判定し、この判定結果に応じて編集通知を行う。
【００５７】
実施の形態３．
図６は、この発明の実施の形態３によるユーザ端末装置の構成を示すブロック図であり、図１と同一構成部には同一符号を付して説明を省略する。図６において、実施の形態３のユーザ端末装置２Ｃは、ユーザ入力部２０、ユーザ情報検出部２１Ａ、位置検出部２１ａ、計時部２１ｂ、通信部２３、出力部２４、ユーザ状態センサ２６、興味情報推定部２７及びユーザ情報・興味関係データ記憶部２８を備える。
【００５８】
ユーザ情報検出部２１Ａは、ユーザ入力部２０を用いてユーザ端末装置２Ｃに入力された情報の中から、ユーザ入力部２０を用いたユーザＡの明示的な操作によって入力された興味対象を検出して、この興味対象及びこれが入力された地点の位置情報を含む興味情報と、上記興味対象が入力された時点におけるユーザＡの状態を示す情報とを組み合わせたユーザ状態・興味関係データを生成する構成部である。なお、興味対象の検出方法は、上記実施の形態１と同様に、興味対象入力用のＨＭＩで入力された情報を興味対象として検出する。例えば、興味対象入力用のＨＭＩで興味対象に特定の拡張子を設定する等して、他の情報から識別する。
【００５９】
ユーザ状態センサ２６は、ユーザＡの状態を示す情報を検出するセンサであり、心拍数等のようにユーザＡの身体的な状態を示す生体情報や、視線の移動量及び車速の変化等のようにユーザＡの精神的な状態が反映される車両の運転状況を示す情報を、ユーザ状態を示す情報として検出する。
例えば、脈拍を検出するセンサを用いて、興味対象が入力された時刻から一定時間（通常１分間）の心拍数を検出する。また、ユーザＡを撮影するカメラを用い、ユーザＡが撮影された画像から視線の位置を画像認識することで、興味対象が入力された時刻から一定時間内での視線の移動量を検出する。さらに、車両制御装置から取得した車両情報に基づいて、興味対象が入力された時刻から一定時間での車速の変化を検出する。
なお、ユーザ状態を示す情報は、上記心拍数や視線移動量、車速変化に限らず、ユーザが興味対象を入力する際のユーザ状態を特定できる情報であればよい。
【００６０】
興味情報推定部２７は、ユーザ情報・興味関係データ記憶部２８に保存されている過去のユーザ状態・興味関係データを用いて、ユーザＡが興味対象を入力する際のユーザ状態の傾向を求め、この傾向を示すユーザ状態データ範囲に基づいて、ユーザＡの興味対象を推定する構成部である。例えば、ユーザ状態センサ２６から逐次入力されてくるユーザＡのユーザ状態を示す情報が、予め求めたユーザＡについて興味対象を入力する際のユーザ状態の傾向を示す範囲内にあると、当該興味対象がその時点におけるユーザＡの興味対象と推定する。
【００６１】
ユーザ情報・興味関係データ記憶部２８は、ユーザ情報・興味関係データを保存するための記憶部であり、ユーザ情報検出部２１Ａによって生成されたユーザ情報・興味関係データや、興味情報推定部２７で生成されたユーザ情報・興味関係データが記憶される。
なお、実施の形態３のサーバ装置３では、興味情報を、ユーザ情報・興味関係データとしてサーバ側興味情報記憶部３３に記憶する。従って、上記実施の形態１の説明における“興味情報”を“ユーザ情報・興味関係データ”に置き換えることで、実施の形態３でのサーバ装置３の動作を説明できる。
【００６２】
次に動作について説明する。
図７は、実施の形態３のユーザ端末装置による処理の流れを示すフローチャートであり、この図７に沿って処理の詳細を述べる。なお、実施の形態３のユーザ端末装置２Ｃによる処理は、ユーザが行う明示的な操作で入力された興味対象を含む興味情報とその入力時のユーザ状態との組み合わせからなるユーザ情報・興味関係データを生成し保存する処理と、過去のユーザ情報・興味関係データから求めた傾向から、ユーザＡの興味対象を推定する処理に分けられる。
【００６３】
（１）ユーザ情報・興味関係データの生成・保存
ユーザＡが移動中に通り掛かった地点で興味を持った対象（興味対象）を、ユーザ入力部２０を用いて入力する（ステップＳＴ１ｂ）。なお、興味対象の入力方法は、上記実施の形態１と同様である。
次に、ユーザ情報検出部２１Ａは、ユーザ入力部２０を用いてユーザ端末装置２Ｃ内に入力された情報の中から、興味対象入力用ＨＭＩで入力された情報を興味対象として検出し、少なくともこの興味対象が入力された地点の位置情報を付加して興味情報を生成する（ステップＳＴ２ｂ）。例えば、＜緯度，経度，・・・：興味対象＞という情報（属性）の列から興味情報を構成する。
【００６４】
続いて、ユーザ情報検出部２１Ａは、ユーザ状態センサ２６から、ステップＳＴ１ｂで興味対象が入力された時刻に検出されたユーザ状態を取得し（ステップＳＴ３ｂ）、これとステップＳＴ２ｂで生成した興味情報とを組み合わせてユーザ情報・興味関係データを生成し、ユーザ情報・興味関係データ記憶部２８に保存する（ステップＳＴ４ｂ）。
ユーザ状態・興味関係データは、興味情報と、ユーザ状態を示す情報の列と、上記興味情報への参照情報から構成される。例えば、＜ｉｄ番号，緯度，経度，・・・：気になるお店＞という興味情報と、この興味情報への参照及びユーザ状態を示す情報の列からなる＜ｒｅｆ（ｉｄ番号），視線移動量（２０ｃｍ／秒），車速変化（−１０ｋｍ／秒）＞という情報とから、ユーザ状態・興味関係データが構成される。
【００６５】
（２）興味対象の推定
次に、興味情報推定部２７は、ユーザ情報・興味関係データ記憶部２８に保存されている過去のユーザ状態・興味関係データを用いて、ユーザＡが興味対象を入力する際のユーザ状態の傾向を学習する（ステップＳＴ５ｂ）。なお、ユーザ状態の傾向を学習するアルゴリズムとしては、強化学習や機能論理プログラミングの手法等を利用する。
例えば、情報ジャンル“気になるお店”が興味対象であるユーザ状態・興味関係データから、情報ジャンル“気になるお店”を入力する際のユーザ状態の傾向が学習され、その傾向を示すユーザ状態データ範囲が求められる。つまり、視線移動量が１５ｃｍ／秒以上で、かつ車速変化が±７ｋｍ／秒というようなユーザ状態データ範囲が決定される。
【００６６】
次いで、興味情報推定部２７は、ユーザ状態センサ２６から逐次入力されてくるユーザＡのユーザ状態を示す情報が、ステップＳＴ５ｂで求めたユーザ状態の傾向を示す範囲内にあると、その傾向が示す興味対象が、現時点でのユーザＡの興味対象と推定する（ステップＳＴ６ｂ）。例えば、現在のユーザ状態が、視線移動量が２０ｃｍ／秒で車速変化が±７ｋｍ／秒であると、ステップＳＴ５ｂで求めたユーザ状態の傾向を示す範囲内であることから、現時点でのユーザＡの興味対象が“気になるお店”であると推定される。
【００６７】
この後、興味情報推定部２７は、ユーザ情報検出部２１Ａと同様にして、ステップＳＴ６ｂで推定した興味対象及びこのときの地点の位置情報を少なくとも含む興味情報を生成し、さらにこの興味情報とこのときのユーザＡの状態を示す情報とを組み合わせたユーザ状態・興味関係データを生成して、ユーザ情報・興味関係データ記憶部２８に保存するようにしてもよい。この場合、出力部２４が、興味情報推定部２７に推定された興味情報を含むユーザ情報・興味関係データをユーザＡに提示して、ユーザＡに保存すべきか否かを承認させるＨＭＩを提供して、ユーザＡに承認されたユーザ情報・興味関係データのみを保存する。承認されなかったユーザ情報・興味関係データについては保存せず、その推定に用いたユーザ状態の傾向を示す範囲を廃棄して新たに学習し直すか、より厳格に推定されるようにその範囲が狭くなるように補正する。このようにすることで、興味対象の推定精度を向上させることができる。
【００６８】
また、ステップＳＴ６ｂにおいて、興味情報推定部２７が、推定した興味対象及びこのときの地点の位置情報を検索キーとして、通信部２３を介してサーバ装置３に検索要求を行うようにしてもよい。出力部２４は、サーバ装置３から送信されてきた検索結果のユーザ情報・興味関係データをユーザＡに提示する。このとき、ユーザＡからは、車両等での移動中に通り掛かった地点において、そのときの自身の状態に応じて推定された興味対象を含む興味情報が自動的に提示されることになる。
【００６９】
以上のように、この実施の形態３によれば、ユーザの状態を検出するユーザ状態センサ２６と、ユーザ情報検出部２１Ａにより生成された興味情報と、この情報に含まれる興味の対象が入力された時点で、ユーザ状態センサ２６に検出されたユーザの状態とを組み合わせたデータを記憶するユーザ情報・興味関係データ記憶部２８と、ユーザ情報・興味関係データ記憶部２８に記憶されたデータから興味の対象が入力される際のユーザ状態の傾向を学習し、学習したユーザ状態の傾向に基づいて、ユーザ状態センサ２６で検出されたユーザの状態から、興味の対象を推定する興味情報推定部２７とを備える。このように構成することで、ユーザ状態センサ２６で検出されたユーザ状態を示す情報から、ユーザＡの興味対象を自動的に推定することができる。
【００７０】
また、本発明による情報処理装置は、車載用のナビゲーション装置のみならず、携帯電話端末又は携帯情報端末（ＰＤＡ；Personal Digital Assistance）の表示装置に適用してもよい。また車両、鉄道、船舶又は航空機等の移動体に、人が携帯して持ち込んで使用するＰＮＤ（Portable Navigation Device）等の表示装置に適用してもかまわない。
【００７１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７２】
１，１Ａ  情報処理システム、２，２Ａ，２Ｂ，２Ｃ  ユーザ端末装置、３，３Ａ  サーバ装置、４  通信ネットワーク、２０  ユーザ入力部、２１  ユーザ情報検出部、２２  装置側興味情報記憶部、２３，３０  通信部、２４  出力部、２５  編集処理部、２６  ユーザ状態センサ、２７  興味情報推定部、２８  ユーザ情報・興味関係データ記憶部、３１  ユーザ認証部、３２  ユーザ情報検索部、３３  サーバ側興味情報記憶部、３４  ユーザ通知部。
【手続補正２】
【補正対象書類名】特許請求の範囲
【補正対象項目名】全文
【補正方法】変更
【補正の内容】
【特許請求の範囲】
【請求項１】
移動体に搭載又は携帯される情報処理装置であって、
前記移動体が移動した地点での興味の対象の入力を受け付けるユーザ入力部と、
前記移動体の位置情報を検出する位置検出部と、
前記ユーザ入力部で入力された前記興味の対象と前記位置検出部で検出された当該興味の対象が入力された地点の位置情報とを含む興味情報を生成する興味情報生成部と、
外部装置と通信可能に接続して、前記興味情報生成部で生成された興味情報を前記外部装置に保存し、前記外部装置に保存された興味情報のうち、要求に応じて検索された興味情報を取得する通信部と、
前記興味情報生成部で生成された興味情報又は前記通信部で取得された興味情報を出力して、ユーザに提示する出力部と、
前記外部装置に保存された興味情報を編集する編集処理部とを備えた情報処理装置。
【請求項２】
前記ユーザ入力部は、対象の情報ジャンル、対象が撮影された画像、及び対象の内容を示す音声情報のうちの少なくとも１つを、前記興味の対象として入力を受け付けることを特徴とする請求項１記載の情報処理装置。
【請求項３】
前記通信部は、前記外部装置に対して位置情報をキーとした興味情報の検索要求を行うことを特徴とする請求項１記載の情報処理装置。
【請求項４】
ユーザの状態を検出するユーザ状態検出部と、
前記興味情報生成部により生成された興味情報と、この情報に含まれる前記興味の対象が入力された時点で、前記ユーザ状態検出部に検出されたユーザの状態とを組み合わせたデータを記憶する記憶部と、
前記記憶部に記憶された前記データから前記興味の対象が入力される際のユーザ状態の傾向を学習し、前記学習したユーザ状態の傾向に基づいて、前記ユーザ状態検出部で検出されたユーザの状態から、興味の対象を推定する推定部とを備えたことを特徴とする請求項１記載の情報処理装置。
【請求項５】
情報検索サーバとこれに通信可能に接続された情報処理装置を備えた情報処理システムであって、
前記情報処理装置は、
移動体に搭載又は携帯され、前記移動体が移動した地点での興味の対象の入力を受け付けるユーザ入力部と、
前記移動体の位置情報を検出する位置検出部と、
前記ユーザ入力部で入力された前記興味の対象と前記位置検出部で検出された当該興味の対象が入力された地点の位置情報とを含む興味情報を生成する興味情報生成部と、
前記興味情報生成部で生成された興味情報を前記前記情報検索サーバに保存し、前記前記情報検索サーバに保存された興味情報のうち、要求に応じて検索された興味情報を取得する通信部と、
前記興味情報生成部で生成された興味情報又は前記通信部で取得された興味情報を出力して、ユーザに提示する出力部とを備え、
前記情報検索サーバは、
前記情報検索サーバに興味情報を保存した前記情報処理装置を管理するユーザと、当該興味情報を編集したユーザとが異なる場合に、当該興味情報を前記情報検索サーバに保存したユーザに対して編集があったことを通知するユーザ通知部を備えた
ことを特徴とする情報処理システム。
【国際調査報告】
2012098574.tif 000010
2012098574.tif 000011
2012098574.tif 000012
2012098574.tif 000013